(57)【要約】【課題】ハレーションが発生するのを防止することが可能な撮像装置及びコンピュータプログラムを提供する。【解決手段】撮像前に、入力を受け付けた撮像位置ボタンに応じた撮像位置に対応する発光量でストロボが発光した場合に照射される被写体の照度分布４１をモニタ１３３に表示する。そして、照度変更箇所を受け付け、受け付けた照度変更箇所に対する照度変更情報を、照度変更ボタン４２ａ、４２ｂの操作により受け付け、受け付けた照度変更箇所に対応するストロボの発光量を、受け付けた照度変更情報に基づいて変更する。【選択図】　　　　図６
2004128819.tif 000002
【特許請求の範囲】
【請求項１】
複数の発光手段と、該発光手段の発光に同期して写真画像の取り込みを行う撮像手段とを備える撮像装置において、
予め設定された発光量で発光する各発光手段により照射される被照射体の照度分布を表示する表示手段
を備えることを特徴とする撮像装置。
【請求項２】
前記表示手段により表示される照度分布における照度変更領域の指定を受け付ける手段と、
受け付けた照度変更領域に対する照度変更情報を受け付ける手段と、
受け付けた照度変更情報に基づき、受け付けた照度変更領域に対応する発光手段の前記発光量を変更する手段と
を備えることを特徴とする請求項１に記載の撮像装置。
【請求項３】
撮像手段が写真画像を取り込むタイミングで発光する複数の発光手段をコンピュータに制御させるためのコンピュータプログラムにおいて、コンピュータに、予め設定された発光量で各発光手段が発光することにより照射される被照射体の照度分布を表示させるステップと、
コンピュータに、表示させた照度分布における照度変更領域の指定を受け付けさせるステップと、
コンピュータに、受け付けさせた照度変更領域に対する照度変更情報を受け付けさせるステップと、
コンピュータに、受け付けさせた照度変更情報に基づき、受け付けさせた照度変更領域に対応する発光手段の前記発光量を変更させるステップと
を実行させることを特徴とするコンピュータプログラム。
【発明の詳細な説明】
【０００１】
【発明の属する技術分野】
本発明は、発光手段により照射される被照射体の照度分布を表示する表示装置を備える撮像装置及びコンピュータを該撮像装置として機能させるためのコンピュータプログラムに関する。
【０００２】
【従来の技術】
遊技施設等に設置される撮像装置は、ＣＣＤ等の撮像部、及び、撮像部近傍等に配設され、撮像部が写真画像を取り込むタイミングで発光するストロボ等の発光手段を備え、発光手段を発光させると共に撮像部から画像データを取り込むことにより、被写体の撮像を行う。その後、取得した画像データの編集を受け付け、編集後の画像データを基に画像をシール等に印刷するように構成してある（例えば、特許文献１参照。）。
【０００３】
上述した撮像装置において、被写体は人物である場合が多く、印刷される画像において、人物としての被写体の肌をよりきれいに見せるために様々な研究が為されている。例えば、撮像時に肌をよりきれいに見せるために、発光手段においては、数を増やす、又は、発光手段により照射される肌に影ができないような配置にする等の改良が行われているものがある。
【０００４】
【特許文献１】
特開２０００−２６７１５６号公報
【０００５】
【発明が解決しようとする課題】
しかしながら、ユーザにとっては、どの位置で撮像した場合に、予め設定される発光量で発光する発光手段によって照射される肌がよりきれいに撮像されるのかが解り難い。このため、撮像部に近接した位置で撮像した場合、撮像部近傍に配設される発光手段とユーザとの距離が近接し過ぎることにより、肌に必要以上の光が照射される場合がある。この場合には、必要以上に光が照射された部分においてハレーションを起こしてしまうという問題がある。
【０００６】
本発明は斯かる事情に鑑みてなされたものであって、その目的とするところは、予め設定された発光量で発光する発光手段により照射される被照射体の照度分布を表示する手段を備えることにより、表示される照度分布を参考にしながらユーザが撮像位置を決定することで、ハレーションが発生するのを防止することが可能な撮像装置を提供することにある。
【０００７】
また、本発明の他の目的は、照度変更情報を受け付け、受け付けた照度変更情報に基づき、撮像手段が写真画像を取り込むタイミングで発光する複数の発光手段の発光量を変更することにより、ユーザが、自身にて所望の照度に変更することができ、ハレーションが発生するのを防止すると共に、ユーザの好みに応じた照度で撮像することが可能な撮像装置及びコンピュータプログラムを提供することにある。
【０００８】
【課題を解決するための手段】
第１発明に係る撮像装置は、複数の発光手段と、該発光手段の発光に同期して写真画像の取り込みを行う撮像手段とを備える撮像装置において、予め設定された発光量で発光する各発光手段により照射される被照射体の照度分布を表示する表示手段を備えることを特徴とする。
【０００９】
第２発明に係る撮像装置は、第１発明において、前記表示手段により表示される照度分布における照度変更領域の指定を受け付ける手段と、受け付けた照度変更領域に対する照度変更情報を受け付ける手段と、受け付けた照度変更情報に基づき、受け付けた照度変更領域に対応する発光手段の前記発光量を変更する手段とを備えることを特徴とする。
【００１０】
第３発明に係るコンピュータプログラムは、撮像手段が写真画像を取り込むタイミングで発光する複数の発光手段をコンピュータに制御させるためのコンピュータプログラムにおいて、コンピュータに、予め設定された発光量で各発光手段が発光することにより照射される被照射体の照度分布を表示させるステップと、コンピュータに、表示させた照度分布における照度変更領域の指定を受け付けさせるステップと、コンピュータに、受け付けさせた照度変更領域に対する照度変更情報を受け付けさせるステップと、コンピュータに、受け付けさせた照度変更情報に基づき、受け付けさせた照度変更領域に対応する発光手段の前記発光量を変更させるステップとを実行させることを特徴とする。
【００１１】
第１発明においては、予め設定された発光量で発光する発光手段により照射される被照射体の照度分布を表示することにより、表示される照度分布を参考にしながらユーザが撮像位置を決定することで、ハレーションが発生するのを防止することが可能である。
【００１２】
第２発明及び第３発明においては、予め設定された発光量で各発光手段が発光することにより照射される被照射体の照度分布を表示し、表示した照度分布における照度変更領域の指定を受け付け、受け付けた照度変更領域に対する照度変更情報を受け付け、受け付けた照度変更情報に基づき、受け付けた照度変更領域に対応する発光手段の発光量を変更することにより、ユーザが、自身にて所望の照度に変更することができ、ハレーションが発生するのを防止すると共に、ユーザの好みに応じた照度で撮像することが可能である。
【００１３】
【発明の実施の形態】
以下、本発明をその実施の形態を示す図面に基づいて説明する。
図１は本発明に係る撮像装置の外観を示す斜視図である。略箱状の撮像装置１の前面には、スピーカ１９、撮像部１８、操作ディスプレイ１３、操作ボタン１３５、操作ディスプレイ１３に表示された画像に対して所定の入力をするタブレットペン１３２、コイン投入口１４１等が設けられている。また、撮像装置１の前面両端部には、ライト及び発光手段としての複数のストロボを内蔵する照明部１９１が配設されている。さらに、撮像装置１の上部には、自装置を冷却するファン１９３が設けられている。
さらに、撮像装置１の側面下部には、印刷されたシールを排出するシール取出口１６１が設けられている。なお、撮像装置１はその他、撮像部１８に対向する位置に後部照明、カーテン、背景幕（図示せず）等を備えている。
【００１４】
撮像装置１の前面に配設されたスピーカ１９は、ユーザに対して、硬貨を投入してからの撮像手順の進行を案内するガイダンス、及びユーザが操作ディスプレイ１３に表示されている撮像して得られた自分自身の画像に対して、各種の編集処理を行う際のガイダンス等の音声情報を出力する。
撮像部１８を挟んで両側に配設される照明部１９１は後述するように、撮像の際のフラッシュとして機能するとともに、撮像装置１及びユーザを囲む背景幕（図示せず）により外光が遮断されているため、撮像前の状態においてもユーザを照明する。
【００１５】
撮像装置１の前面略中央部には、レール１８４に従い上下動する撮像部１８が持設されており、撮像部１８の前面側に設けられた開口部には、画像を取り込むＣＣＤカメラ１８１のレンズ、及び、ＣＣＤカメラ１８１により取り込まれている画像を表示する液晶ディスプレイ等の取り込み画像表示部１８２が配設されている。
撮像部１８及びレール１８４は図示しない回動ギアによりそれぞれが結合されており、ユーザの操作ボタン１３５の操作により、撮像部１８をレール１８４上で上下動させることができる。
【００１６】
操作ディスプレイ１３は、撮像部１８の下方に、表示画面を撮像装置１の前方斜め上方向に向けた状態で配設されており、液晶ディスプレイ又はＣＲＴディスプレイ等により構成されるモニタと、その上部に積層されるタッチパネルとにより構成されている。
操作ディスプレイ１３の近傍には、タブレットペン１３２及び操作ボタン１３５が設けてあり、ユーザはタブレットペン１３２を利用して後述する撮像の際のストロボ発光量の変更等を行うことができる。また、操作ディスプレイ１３には、撮像して得られた画像の編集、印刷等の処理の進行段階に応じて種々の選択ボタン、メッセージ等が表示され、操作ディスプレイ１３に表示された選択ボタンを、タブレットペン１３２を利用して選択することができる。
【００１７】
撮像装置１の前面下部のほぼ垂直な面には、コイン投入口１４１が設けられており、ユーザが所定の代金をコイン投入口１４１に投入すると、撮像処理が開始される。撮像され、その後、編集された画像が、所定数に分割されたシールに印刷されてシール取出口１６１へ排出される。
【００１８】
図２は撮像装置１のハードウェア構成を示すブロック図である。撮像装置１は、バス１７を介して演算処理手段（以下、ＣＰＵという）１１、撮像部１８、記憶部１５、操作ディスプレイ１３、操作ボタン１３５、スピーカ１９、照明部１９１、印刷部１６、硬貨処理部１４、ＲＡＭ１２、時計部１９２等が接続されている。
ＣＰＵ１１は、バス１７を介して上述したようなハードウェア各部と接続されており、それらを制御すると共に、ハードディスク等の記憶部１５に格納された制御プログラム１５Ｐに従って、種々のソフトウェア的機能を実行する。
【００１９】
なお、本実施の形態においては、撮像装置１は、撮像部１８及び印刷部１６等を１つの筐体内に格納しているが、これに限らず、例えば、印刷部１６を隔離して設けるようにしてもよい。
例えば、操作ディスプレイ１３をさらにもう１つ備えるようにし、撮像部１８、照明部１９１、操作ディスプレイ１３等を含む撮像機能を果たすユニットと、操作ディスプレイ１３及び印刷部１６等を含む画像編集機能を果たすユニットとを、設置される遊技施設内のサーバコンピュータ（図示せず）を介してネットワークで接続することにより、同様の機能を実現するようにしてもよい。この場合、撮像部１８を含むユニットにおいてユーザが撮像を行うと、ＩＤが付された磁気カードが発行される。画像データ及びＩＤは対応付けてサーバコンピュータに記憶される。ユーザが画像編集及び印刷を行う場合は、磁気カードを、印刷部１６を含むユニットへ挿入し、ＩＤに基づいてサーバコンピュータから画像データを読み出して画像の編集を行い、シールに印刷するようにすればよい。
【００２０】
ＲＡＭ１２は、ＳＲＡＭ又はフラッシュメモリ等で構成され、ソフトウェアの実行時に発生する一時的なデータを記憶する。
記憶部１５には、音声のガイダンスデータが記憶されており、スピーカ１９は、ＣＰＵ１１の指示に基づいて記憶部１５に記憶されているガイダンスデータを読み出してスピーカ１９に出力する。スピーカ１９がユーザに対して出力するガイダンスには、操作方法、撮像直前のカウントダウン等がある。
硬貨処理部１４は、コイン投入口１４１から投入された硬貨の金額を検出し、所定の料金が投入されたと検出した場合、検出信号をＣＰＵ１１へ出力する。
【００２１】
照明部１９１は蛍光灯等の連続照明するライト１９１ｂ及び撮像の瞬間シンクロ発光して照明するストロボ１９１ａにより構成されている。ライト１９１ｂは撮像装置１の前面両端部にそれぞれ設けられており、プラスチック製の拡散照明カバーを透過してユーザを照射する。このライト１９１ｂは撮像時のみならず撮像前、編集時においても点灯しており、その点灯／消灯は記憶部１５に記憶された制御プログラム１５Ｐに従いＣＰＵ１１が制御する。
【００２２】
また、ストロボ１９１ａも同様に撮像装置１の前面両端部にそれぞれ複数設けられており、記憶部１５に格納されるストロボ発光量テーブル１５１に記憶される、ユーザの撮像位置に応じた発光量で発光してユーザを照射する。このストロボ１９１ａの発光に同期して、ＣＣＤカメラ１８１が画像の取り込みを行うように設定されている。なお、ストロボ発光量は、撮像前に、ユーザが入力を行うことにより変更することができる。ＣＰＵ１１は、ユーザによる操作ボタン１３５の操作等により画像の撮像が指示された場合、ストロボ１９１ａに対して発光指示信号を出力し、ストロボ１９１ａの発光に同期させてＣＣＤカメラ１８１に画像取り込みを行わせるべく、ＣＣＤカメラ１８１に対して撮像指示信号を出力する。なお、ユーザの背後に設けられる図示しない後部ストロボについても同様の制御がなされる。
【００２３】
撮像部１８は、ＣＣＤカメラ１８１及び取り込み画像表示部１８２等により構成されている。ＣＰＵ１１が出力する撮像指示信号を取得したＣＣＤカメラ１８１において、ＣＣＤに蓄積された電荷は、電気信号として図示しないＡ／Ｄ変換器へ出力される。Ａ／Ｄ変換器によりデジタル信号に変換された画像データはＲＧＢ各成分のデータとして記憶部１５に格納され、また取り込み画像表示部１８２及び操作ディスプレイ１３のモニタ１３３へ出力される。
【００２４】
操作ディスプレイ１３はモニタ１３３、タッチパネル１３１、タブレットペン１３２及び表示プロセッサ１３４から構成されている。
表示プロセッサ１３４は、ＣＰＵ１１からの指示に基づいて撮像前に、ストロボ発光量の変更を受け付ける画面をモニタ１３３に表示させる。すなわち、ストロボ発光量テーブル１５１に記憶される発光量でストロボ１９１ａが発光することにより照射された場合の被写体の照度分布がモニタ１３３に表示され、ユーザがタブレットペン１３２を利用して照度を変更したい領域（照度変更領域）を指定し、さらに、照度を上げるか又は下げるかの照度変更情報を入力する。これにより、複数のストロボ１９１ａのうちの、指定を受け付けた照度変更領域に対応する撮像領域を照射するストロボについて、受け付けた照度変更情報に基づき、撮像の際のストロボ発光量が変更される。
【００２５】
また表示プロセッサ１３４は、ＣＣＤカメラ１８１により取り込まれた画像データを記憶するためのフレームバッファを有しており、撮像後、取り込まれた画像データをフレームバッファに記憶した後、画像データを基に画像をモニタ１３３に表示させ、編集処理において、ユーザがタブレットペン１３２を利用して落書きを入力すると、その入力データがフレームバッファに記憶される。
【００２６】
モニタ１３３上には、透明なタッチパネル１３１が積層されており、タッチパネル１３１は、タブレットペン１３２からの入力を検出する。照度変更情報、編集情報等が入力された場合、タッチパネル１３１はその入力を受け付け、受け付けた情報を表示プロセッサ１３４へ出力する。表示プロセッサ１３４は、入力された情報に基づく変更後の画像をモニタ１３３に表示させる。
【００２７】
印刷部１６は、画像データを基に画像をシールに印刷して画像シールを作成する印刷手段であり、ＣＣＤカメラ１８１により撮像され、編集処理が施された後の画像をシールに印刷する。印刷された画像シールはシール取出口１６１から排出される。
時計部１９２は時間データをＣＰＵ１１へ出力する。
【００２８】
以下に、上述したハードウェア構成を備える撮像装置１のＣＰＵ１１の処理手順を、図３及び図４に示すフローチャートを用いて説明する。
ＣＰＵ１１は硬貨処理部１４により、所定料金が投入されたか否かを判定し（ステップＳ１）、所定料金が投入されていないと判定した場合（ステップＳ１：ＮＯ）、所定料金が投入されたと判定するまで適宜のタイミングで判定を繰り返す。
ステップＳ１において、所定料金が投入されたと判定した場合（ステップＳ１：ＹＥＳ）、ＣＰＵ１１は、ユーザの撮像位置を受け付けるための撮像位置受付画面を記憶部１５から読み出してモニタ１３３に表示する（ステップＳ２）。
【００２９】
図５はモニタ１３３に表示される撮像位置受付画面の一例を示す説明図である。この撮像位置受付画面には、ユーザの撮像位置の選択肢として、ユーザが撮像部１８に近接した位置で撮像する場合の撮像位置ボタン４０ａ、及び、ユーザが撮像部１８から離れ、図示しない背景幕に近接した位置で撮像する場合の撮像位置ボタン４０ｂが表示されている。撮像位置ボタン４０ａ、４０ｂには、それぞれの位置で撮像した場合に得られる画像を模式的に示す図が表示されている。
なお、図５においては、ユーザが撮像位置ボタン４０ａを選択した状態を示している。
【００３０】
ＣＰＵ１１は、ユーザにより撮像位置ボタンが選択されたか否かを判定し（ステップＳ３）、選択されていないと判定した場合（ステップＳ３：ＮＯ）、選択されたと判定するまで適宜のタイミングで判定を繰り返す。
ステップＳ３において、撮像位置ボタンが選択されたと判定した場合（ステップＳ３：ＹＥＳ）、選択された撮像位置ボタンに対応する、ストロボ発光量変更画面を記憶部１５から読み出してモニタ１３３に表示する（ステップＳ４）。
【００３１】
図６はモニタ１３３に表示されるストロボ発光量変更画面の一例を示す説明図である。このストロボ発光量変更画面には、撮像位置ボタン４０ａ又は撮像位置ボタン４０ｂに応じた撮像位置に対応してストロボ発光量テーブル１５１に記憶される発光量でストロボ１９１ａが発光した場合に照射される被写体の照度分布４１が表示される。図６に示す照度分布４１において、照度分布上の各ポイントは、照度に応じた色で表示されている。例えば、照度が２００００ルクス以上のポイントは赤色（図中においては、縦線のハッチングで示す）、１００００ルクス以上２００００ルクス未満のポイントは橙色（図中においては、斜線のクロスハッチングで示す）、５０００ルクス以上１００００ルクス未満のポイントは黄色（図中においては、縦線及び横線のクロスハッチングで示す）、２５００ルクス以上５０００ルクス未満のポイントは緑色（図中においては、左上がり斜線のハッチングで示す）、２５００ルクス未満のポイントは青色（図中においては、横線のハッチングで示す）で表示されている。
【００３２】
なお、図６に示す照度分布４１においては、照度に応じた複数の色を用いて照度の分布を示しているが、これに限定するものではなく、例えば、図７（ａ）に示すように、等圧線及び等高線のような照度の等しいポイントを結ぶ線によって照度の分布を示すものであってもよい。
また、一般ユーザ向けとして、図６又は図７（ａ）に示したように、おおよその照度を滑らかな照度分布で表すものであってもよいし、マニア向けとして、より細かい照度分布を精密に表示するものであってもよい。
また、図６に示す照度分布４１においては、被写体を平面的な図で示しているが、例えば図７（ｂ）に示すように、被写体を立体的に表すことが可能な石膏像に模して示すようにしてもよい。石膏像表面はほぼ完全拡散面であり、人間の肌もおおよそこれに近い。これにより、石膏像は被写体表面の凹凸及び光の当たり具合を表現することができるので、平面的な図に比べてより実際に近い照度分布をユーザに示すことができる。
【００３３】
また、この照度分布４１の上部には、「明るさを変更したい部分を選んでね」等のメッセージが表示される。これにより、ユーザはタブレットペン１３２を利用して照度を変更したい箇所（照度変更箇所）を指定する。タブレットペン１３２からの照度分布４１上への入力があった場合、入力された箇所にポインタ２７が表示される。
【００３４】
また、照度分布４１の下部には、ポインタ２７により指定された照度変更箇所の照度変更情報を入力するための照度変更ボタン４２ａ、４２ｂが表示されている。照度変更ボタン４２ａは「暗く」と表示されており、操作された場合、照度変更箇所近傍の照度が、操作前よりも低く見えるように色変更の画像処理が行われる。一方、照度変更ボタン４２ｂは「明るく」と表示されており、操作された場合、照度変更箇所近傍の照度が、操作前よりも高く見えるように色変更の画像処理が行われる。
さらに、照度変更ボタン４２ａ、４２ｂに隣接して照度変更情報の入力の完了を示すＯＫボタン４３、及び、撮像開始を指示する撮像ボタン４４が表示されている。
照度変更情報の入力が完了したユーザは、ＯＫボタン４３を操作する。
【００３５】
ＣＰＵ１１は、ユーザがタブレットペン１３２を利用することによる照度変更箇所の指定を受け付け（ステップＳ５）、照度変更ボタン４２ａ、４２ｂの操作による照度変更情報を受け付ける（ステップＳ６）。
そして、ＣＰＵ１１は、受け付けた照度変更箇所について、受け付けた照度変更情報に基づく画像処理を行い（ステップＳ７）、ＯＫボタン４３が操作されたか否かを判定する（ステップＳ８）。
ステップＳ８においてＯＫボタン４３が操作されていないと判定した場合（ステップＳ８：ＮＯ）、ＣＰＵ１１はステップＳ５へ処理を戻し、上述した処理を繰り返す。
【００３６】
ステップＳ８においてＯＫボタン４３が操作されたと判定した場合（ステップＳ８：ＹＥＳ）、ＣＰＵ１１は、複数のストロボ１９１ａのうち、受け付けた照度変更箇所に対応するストロボの発光量を、受け付けた照度変更情報に基づいて変更する（ステップＳ９）。
例えば、照度変更情報として照度変更ボタン４２ｂの操作を受け付けた場合、複数のストロボ１９１ａのうち、受け付けた照度変更箇所に対応するストロボ発光量を増加させる（例えば、前面左端部に配設されるストロボ（図示せず）の発光量を増加させる）。ここで、照度変更ボタン４２ｂの操作回数に応じて、増加させる発光量を等比数列となるように変化させることで、ＣＣＤカメラ１８１が取り込む画像においては明度が滑らかに増加したものとなる。
照度変更情報として照度変更ボタン４２ａの操作を受け付けた場合にも、同様にしてストロボ発光量を減少させる。
【００３７】
一方、ＣＰＵ１１は、撮像部１８において、ＣＣＤカメラ１８１により順次取り込まれている画像を、取り込み画像表示部１８２に表示させており、ユーザはこの取り込み画像表示部１８２の表示により撮像される画像を確認し、自身のポーズの決定等を行うことができる。そしてユーザが操作ディスプレイ１３上の撮像ボタンをタブレットペン１３２により操作することにより、又は、操作ボタン１３５に含まれる撮像ボタン（図示せず）を操作することにより、撮像処理が実行される。
【００３８】
ＣＰＵ１１は、撮像ボタンが操作されたか否かを判定し（ステップＳ１０）、撮像ボタンが操作されていないと判定した場合（ステップＳ１０：ＮＯ）、操作されたと判定するまで適宜のタイミングで判定を繰り返す。
ステップＳ１０において、撮像ボタンが操作されたと判定した場合（ステップＳ１０：ＹＥＳ）、ＣＰＵ１１は、ストロボ１９１ａへ発光指示信号を出力し、ＣＣＤカメラ１８１へ撮像指示信号を出力することにより、ストロボ１９１ａを発光させると共にＣＣＤカメラ１８１による撮像を行う（ステップＳ１１）。
なお、撮像ボタンが操作されたと判定した後、時間の経過に従って「３、２、１」等を操作ディスプレイ１３にカウントダウン表示すると共に、スピーカ１９によるアナウンスによってカウントダウンを行うことで、撮像のタイミングをユーザに報知してから撮像を行うようにしてもよい。
【００３９】
そして、ＣＰＵ１１は、撮像して得られた画像データを表示プロセッサ１３４のフレームバッファに記憶する（ステップＳ１２）。ＣＰＵ１１は、フレームバッファから画像データを読み出し、また、編集情報を入力するための編集画面を記憶部１５から読み出し、読み出した編集画面及び画像データをモニタ１３３に表示する（ステップＳ１３）。
そして、ＣＰＵ１１は、ユーザがタブレットペン１３２を利用することによる編集情報を受け付けて画像データの編集を行い（ステップＳ１４）、編集後の画像データを印刷部１６へ出力する（ステップＳ１５）。これにより、印刷部１６において画像データに基づく画像がシールへ印刷され、印刷後のシールはシール取出口１６１から排出される。
【００４０】
なお、本実施の形態においては、図５に示した撮像位置受付画面をモニタ１３３に表示し、撮像位置として撮像位置ボタン４０ａ、４０ｂの何れかをユーザに選択させることにより、図６に示したストロボ発光量変更画面において、選択された撮像位置ボタンに対応するストロボ発光量でストロボ１９１ａが発光した場合の被写体の照度分布４１を表示するようにしたが、以下のようにしてもよい。
【００４１】
すなわち、図８に示すように、ＣＣＤカメラ１８１とユーザの撮像位置との間の距離を測定する距離測定部１８３を撮像部１８に備える構成とする。この距離測定部１８３により、ＣＣＤカメラ１８１とユーザの撮像位置との間の距離を測定し、図６に示したストロボ発光量変更画面において、測定して得られた距離に基づく撮像位置に対応するストロボ発光量でストロボ１９１ａが発光した場合の被写体の照度分布４１を表示する構成とする。
このような距離測定部１８３としては、例えば、赤外線等をユーザに向けて照射し、ユーザに当たって反射された赤外線を検出することにより、ＣＣＤカメラ１８１とユーザの撮像位置との距離を測定するものを用いればよい。
【００４２】
【発明の効果】
本発明によれば、予め設定された発光量で発光する発光手段により照射される被照射体の照度分布を表示することにより、表示される照度分布を参考にしながらユーザが撮像位置を決定することで、ハレーションが発生するのを防止することが可能である。
【００４３】
また、本発明によれば、予め設定された発光量で各発光手段が発光することにより照射される被照射体の照度分布を表示し、表示した照度分布における照度変更領域の指定を受け付け、受け付けた照度変更領域に対する照度変更情報を受け付け、受け付けた照度変更情報に基づき、受け付けた照度変更領域に対応する発光手段の発光量を変更することにより、ユーザが、自身にて所望の照度に変更することができ、ハレーションが発生するのを防止すると共に、ユーザの好みに応じた照度で撮像することが可能である。
【図面の簡単な説明】
【図１】本発明に係る撮像装置の外観を示す斜視図である。
【図２】本発明に係る撮像装置のハードウェア構成を示すブロック図である。
【図３】本発明に係る撮像装置のＣＰＵの処理手順を示すフローチャートである。
【図４】本発明に係る撮像装置のＣＰＵの処理手順を示すフローチャートである。
【図５】モニタに表示される撮像位置受付画面の一例を示す説明図である。
【図６】モニタに表示されるストロボ発光量変更画面の一例を示す説明図である。
【図７】モニタに表示されるストロボ発光量変更画面の他の例を示す説明図である。
【図８】本発明の他の形態に係る撮像装置のハードウェア構成を示すブロック図である。
【符号の説明】
１　撮像装置
１１　ＣＰＵ
１８　撮像部
１８１　ＣＣＤカメラ
１３　操作ディスプレイ
１３１　タッチパネル
１３２　タブレットペン
１３３　モニタ
１３５　操作ボタン
１５　記憶部
１５１　ストロボ発光量テーブル
１９１　照明部
１９１ａ　ストロボ
【図１】
2004128819.tif 000003
【図２】
2004128819.tif 000004
【図３】
2004128819.tif 000005
【図４】
2004128819.tif 000006
【図５】
2004128819.tif 000007
【図６】
2004128819.tif 000008
【図７】
2004128819.tif 000009
【図８】
2004128819.tif 000010